(57)【特許請求の範囲】
【請求項１】
複数の放送チャンネルの中から選択された一の放送チャンネルで放送中のコンテンツを表示するコンテンツ表示装置と通信可能な携帯端末装置であって、
前記複数の放送チャンネルにおいて放送中の各コンテンツの視聴に関する指標を示す指標情報を、通信ネットワークを介して予め定める外部の装置から取得する指標情報取得手段と、
前記指標情報に従って、前記複数の放送チャンネルにおいて放送中の各コンテンツを順位付けする順位付与手段と、
コンテンツ表示装置に表示されているコンテンツを特定するための表示情報を取得する表示情報取得手段と、
前記表示情報によって特定されたコンテンツの順位よりも上位のコンテンツを特定する上位コンテンツ特定手段とを含むことを特徴とする携帯端末装置。
【請求項２】
複数の放送チャンネルの中から選択された一の放送チャンネルで放送中のコンテンツを表示するコンテンツ表示装置と通信可能な携帯端末装置であって、
前記複数の放送チャンネルにおいて放送中の各コンテンツの視聴に関する指標を示す指標情報を、通信ネットワークを介して予め定める外部の装置から取得する指標情報取得手段と、
前記指標情報に従って、前記複数の放送チャンネルにおいて放送中の各コンテンツを順位付けする順位付与手段と、
コンテンツ表示装置に表示されているコンテンツを特定するための表示情報を取得する表示情報取得手段と、
ユーザによって操作される指標順操作手段であって、コンテンツ表示装置に表示されるコンテンツを、前記順位付与手段によって付与された順位の順に従って切り替えるための指標順操作手段と、
前記指標順操作手段が操作されると、前記順位付与手段によって付与された順位に基づいて、前記表示情報によって特定されたコンテンツの順位よりも一つ上位または下位のコンテンツを特定するコンテンツ特定手段と、
前記コンテンツ特定手段によって特定されたコンテンツをコンテンツ表示装置に表示させるためのコンテンツ切替信号を生成して出力するコンテンツ切替手段とを含むことを特徴とする携帯端末装置。
【請求項３】
複数の放送チャンネルで放送されている各コンテンツを同時に録画可能であって、同時に録画された複数のコンテンツの中から選択された一のコンテンツを表示するコンテンツ表示装置と通信可能な携帯端末装置であって、
同時に録画された各コンテンツの視聴に関する指標を示す指標情報を、通信ネットワークを介して予め定める外部の装置、またはコンテンツを録画する際に前記指標情報を予め定める外部の装置から取得し、複数のコンテンツと前記指標情報とを合わせて保持するコンテンツ表示装置から取得する指標情報取得手段と、
前記指標情報に従って、前記同時に録画された各コンテンツを順位付けする順位付与手段と、
コンテンツ表示装置に表示されているコンテンツを特定するための表示情報を取得する表示情報取得手段と、
ユーザによって操作される指標順操作手段であって、コンテンツ表示装置に表示されるコンテンツを、前記順位付与手段によって付与された順位の順に従って切り替えるための指標順操作手段と、
前記指標順操作手段が操作されると、前記順位付与手段によって付与された順位に基づいて、前記表示情報によって特定されたコンテンツの順位よりも一つ上位または下位のコンテンツを特定するコンテンツ特定手段と、
前記コンテンツ特定手段によって特定されたコンテンツをコンテンツ表示装置に表示させるためのコンテンツ切替信号を生成して出力するコンテンツ切替手段とを含むことを特徴とする携帯端末装置。
【請求項４】
前記コンテンツ切替手段は、前記コンテンツ切替信号とともに、前記表示情報によって特定されたコンテンツの指標情報に関連する指標関連情報をコンテンツ表示装置に表示させるための指標関連情報表示信号を生成して出力することを特徴とする請求項２または３記載の携帯端末装置。
【請求項５】
前記コンテンツ特定手段は、前記順位付与手段によって付与された順位に基づいて、前記表示情報によって特定されたコンテンツが最も上位である場合、最も下位のコンテンツを、前記表示情報によって特定されたコンテンツよりも一つ上位のコンテンツとして特定し、前記表示情報によって特定されたコンテンツが最も下位である場合、最も上位のコンテンツを、前記表示情報によって特定されたコンテンツよりも一つ下位のコンテンツとして特定することを特徴とする請求項４記載の携帯端末装置。
【請求項６】
ユーザによって操作される最高順位選択操作手段であって、コンテンツ表示装置に表示されるコンテンツを、前記順位付与手段によって付与された順位において最も上位のコンテンツに切り替えるための最高順位選択操作手段をさらに含み、
前記コンテンツ切替手段は、前記最高順位選択操作手段が操作されると、前記順位付与手段によって付与された順位に基づいて、最も上位のコンテンツをコンテンツ表示装置に表示させるためのコンテンツ切替信号を生成して出力することを特徴とする請求項２〜５のいずれか１つに記載の携帯端末装置。
【請求項７】
複数の放送チャンネルの中から選択された一の放送チャンネルで放送中のコンテンツを表示するコンテンツ表示装置と通信可能な携帯端末装置であって、
前記複数の放送チャンネルにおいて放送中の各コンテンツの視聴に関する指標を示す指標情報を、通信ネットワークを介して予め定める外部の装置から取得する指標情報取得手段と、
前記指標情報に従って、前記複数の放送チャンネルにおいて放送中の各コンテンツを順位付けする順位付与手段と、
コンテンツ表示装置に表示されているコンテンツを特定するための表示情報を取得する表示情報取得手段と、
前記表示情報によって特定されたコンテンツの順位よりも上位のコンテンツの有無を判断し、上位のコンテンツが有る場合に、上位のコンテンツが有ることを報知する報知手段とを含むことを特徴とする携帯端末装置。
【請求項８】
画像を表示可能な表示手段をさらに含み、
前記報知手段は、前記上位のコンテンツを示す文字情報、画像情報および映像情報のうちの少なくともいずれか１つの情報を、前記表示手段に表示させることを特徴とする請求項７に記載の携帯端末装置。
【請求項９】
前記報知手段は、前記上位のコンテンツのうちの最も上位のコンテンツを示す文字情報、画像情報および映像情報のうちの少なくともいずれか１つの情報を、前記表示手段に表示させることを特徴とする請求項８に記載の携帯端末装置。
【請求項１０】
ユーザによって操作される報知コンテンツ選択操作手段であって、コンテンツ表示装置に表示されるコンテンツを、前記表示手段に表示された情報に係るコンテンツに切り替えるための報知チャンネル選択操作手段と、
前記報知コンテンツ選択操作手段が操作されると、前記表示手段に表示された情報に係
るコンテンツをコンテンツ表示装置に表示させるためのコンテンツ切替信号を生成して出力するコンテンツ切替手段とをさらに含むことを特徴とする請求項８または９に記載の携帯端末装置。
【請求項１１】
前記報知手段は、前記上位のコンテンツを示す文字情報、画像情報および映像情報のうちの少なくともいずれか１つの情報、または前記上位のコンテンツのうちの最も上位のコンテンツを示す文字情報、画像情報および映像情報のうちの少なくともいずれか１つの情報をコンテンツ表示装置に表示させるための情報表示信号を生成して出力することを特徴とする請求項７〜１０のいずれか１つに記載の携帯端末装置。
【請求項１２】
前記報知手段は、前記上位のコンテンツのうちの最も上位のコンテンツを、ＰｉｎＰまたはＰｂｙＰの形式でコンテンツ表示装置に表示させるための割込み表示信号を生成して出力することを特徴とする請求項７〜１０のいずれか１つに記載の携帯端末装置。
【請求項１３】
音を出力可能な音出力手段をさらに含み、
前記報知手段は、前記上位のコンテンツが有る場合に、前記音出力手段に予め定める報知音を出力させることを特徴とする請求項７〜１０のいずれか１つに記載の携帯端末装置。
【請求項１４】
振動可能な振動手段をさらに含み、
前記報知手段は、前記上位のコンテンツが有る場合に、前記振動手段を予め定める振動パターンで振動させることを特徴とする請求項７〜１０のいずれか１つに記載の携帯端末装置。
【請求項１５】
前記コンテンツの視聴に関する指標は、該コンテンツに対するミニブログの投稿数またはミニブログの投稿数に基づいて算出される仮想的な視聴率であることを特徴とする請求項１〜１４のいずれか１つに記載の携帯端末装置。
【請求項１６】
前記コンテンツの視聴に関する指標は、該コンテンツの視聴率であることを特徴とする請求項１〜１４のいずれか１つに記載の携帯端末装置。
【請求項１７】
請求項１〜１６のいずれか１つに記載の携帯端末装置と、通信ネットワークを介して前記携帯端末装置と通信可能なサーバ装置とによって構成される情報通信システムであって、
前記サーバ装置は、
前記指標情報を記憶する指標情報記憶部と、
前記携帯端末装置から前記指標情報を要求する要求信号を受信すると、前記指標情報記憶部に記憶されている指標情報を、該要求信号を送信した携帯端末装置へ送信する指標情報送信手段とを含むことを特徴とする情報通信システム。
【請求項１８】
複数の放送チャンネルの中から選択された一の放送チャンネルで放送中のコンテンツを表示するコンテンツ表示装置と通信可能な携帯端末装置を用いたチャンネル選局方法であって、
前記複数の放送チャンネルにおいて放送中の各コンテンツの視聴に関する指標を示す指標情報を、通信ネットワークを介して予め定める外部の装置から取得する指標情報取得ステップと、
前記指標情報に従って、前記複数の放送チャンネルにおいて放送中の各コンテンツを順位付けする順位付与ステップと、
コンテンツ表示装置に表示されているコンテンツを特定するための表示情報を取得する表示情報取得ステップと、
前記表示情報によって特定されたコンテンツの順位よりも上位のコンテンツを特定する上位コンテンツ特定ステップとを含むことを特徴とするチャンネル選局方法。
【請求項１９】
複数の放送チャンネルの中から選択された一の放送チャンネルで放送中のコンテンツを表示するコンテンツ表示装置と通信可能な携帯端末装置を用いたチャンネル選局方法であって、
前記複数の放送チャンネルにおいて放送中の各コンテンツの視聴に関する指標を示す指標情報を、通信ネットワークを介して予め定める外部の装置から取得する指標情報取得ステップと、
前記指標情報に従って、前記複数の放送チャンネルにおいて放送中の各コンテンツを順位付けする順位付与ステップと、
コンテンツ表示装置に表示されているコンテンツを特定するための表示情報を取得する表示情報取得ステップと、
ユーザによって操作される指標順操作手段であって、コンテンツ表示装置に表示されるコンテンツを、前記順位付与ステップにおいて付与された順位の順に従って切り替えるための指標順操作手段が操作されると、前記順位付与ステップにおいて付与された順位に基づいて、前記表示情報によって特定されたコンテンツの順位よりも一つ上位または下位のコンテンツを特定するコンテンツ特定ステップと、
前記コンテンツ特定ステップにおいて特定されたコンテンツをコンテンツ表示装置に表示させるためのコンテンツ切替信号を生成して出力するコンテンツ切替ステップとを含むことを特徴とするチャンネル選局方法。
【請求項２０】
複数の放送チャンネルで放送されている各コンテンツを同時に録画可能であって、同時に録画された複数のコンテンツの中から選択された一のコンテンツを表示するコンテンツ表示装置と通信可能な携帯端末装置を用いたチャンネル選局方法であって、
同時に録画された各コンテンツの視聴に関する指標を示す指標情報を、通信ネットワークを介して予め定める外部の装置、またはコンテンツを録画する際に前記指標情報を予め定める外部の装置から取得し、複数のコンテンツと前記指標情報とを合わせて保持するコンテンツ表示装置から取得する指標情報取得ステップと、
前記指標情報に従って、前記同時に録画された各コンテンツを順位付けする順位付与ステップと、
コンテンツ表示装置に表示されているコンテンツを特定するための表示情報を取得する表示情報取得ステップと、
ユーザによって操作される指標順操作手段であって、コンテンツ表示装置に表示されるコンテンツを、前記順位付与ステップにおいて付与された順位の順に従って切り替えるための指標順操作手段が操作されると、前記順位付与ステップにおいて付与された順位に基づいて、前記表示情報によって特定されたコンテンツの順位よりも一つ上位または下位のコンテンツを特定するコンテンツ特定ステップと、
前記コンテンツ特定ステップにおいて特定されたコンテンツをコンテンツ表示装置に表示させるためのコンテンツ切替信号を生成して出力するコンテンツ切替ステップとを含むことを特徴とするチャンネル選局方法。
【請求項２１】
複数の放送チャンネルの中から選択された一の放送チャンネルで放送中のコンテンツを表示するコンテンツ表示装置と通信可能な携帯端末装置を用いたチャンネル選局方法であって、
前記複数の放送チャンネルにおいて放送中の各コンテンツの視聴に関する指標を示す指標情報を、通信ネットワークを介して予め定める外部の装置から取得する指標情報取得ステップと、
前記指標情報に従って、前記複数の放送チャンネルにおいて放送中の各コンテンツを順位付けする順位付与ステップと、
コンテンツ表示装置に表示されているコンテンツを特定するための表示情報を取得する表示情報取得ステップと、
前記表示情報によって特定されたコンテンツの順位よりも上位のコンテンツの有無を判断し、上位のコンテンツが有る場合に、上位のコンテンツが有ることを報知する報知ステップとを含むことを特徴とするチャンネル選局方法。
【請求項２２】
コンピュータに、請求項１８〜２１のいずれか１つに記載のチャンネル選局方法を実行させるためのプログラム。
【請求項２３】
請求項２２に記載のプログラムを記録したコンピュータ読み取り可能な記録媒体。
【発明の詳細な説明】
【技術分野】
【０００１】
本発明は、携帯端末装置、情報通信システム、チャンネル選局方法、プログラムおよび記録媒体に関する。
【背景技術】
【０００２】
近年、地上デジタル放送、ＢＳ放送およびＣＳ放送など選局可能な放送チャンネルの数が増大しており、ユーザにとって、番組（コンテンツ）を選択する幅が広がってきている。しかしながら、その反面、ユーザは、番組を視聴しようとする際、これら膨大な数の放送チャンネルの中から一の放送チャンネルを選局しなければならない。そこで、放送チャンネルの選局を支援するための種々の技術が提案されている。
【０００３】
たとえば特許文献１に開示される携帯型パーソナルコンピュータは、受信可能な複数の番組に関する番組情報を通信ネットワークを介して取得し、取得した番組情報を参照して、受信可能な複数の番組の中から、ユーザによって入力されたジャンルおよび／またはキーワードに該当する番組を抽出する。そして、ユーザによって、携帯型パーソナルコンピュータに付属の遠隔操作装置（以下、「リモコン」と略記する）に設けられている、番組を順番に切り替えるための操作キーである上下キーが操作されると、その操作されたキーに従って、複数の番組のうちの前記抽出した番組だけを順番に切換えて表示画面に表示させるように構成されている。
【０００４】
また特許文献２に開示されるテレビジョン受信機では、ユーザは、受信可能な複数の放送チャンネルの中から希望する放送チャンネルを予め選択可能であり、選局を行う際には、予め選択された複数の放送チャンネルで放送中の番組が、順番に微小時間ずつ表示画面に表示される。そして、ユーザが、所望の番組が表示されている表示画面に表示されているタイミングで、リモコンに設けられた決定キーを押下すると、決定キーが押下されたタイミングで表示画面に表示されていた番組が表示画面に表示されるように構成されている。これにより、決定キー一つだけで、希望の番組を選択することができる。
【０００５】
また特許文献３に開示される放送受信装置は、ユーザが選局した選局回数をチャンネルごとに記憶しておき、電子番組表（Electronic Program Guide；以下、「ＥＰＧ」と略記する）を画面に表示する際に、ＥＰＧにおける各番組を、ユーザの選局回数が多い放送局ごとの並び順で表示するように構成されている。このように、ユーザの放送局に対する嗜好をＥＰＧに自動的に反映することで、ユーザによる選局を支援している。
【先行技術文献】
【特許文献】
【０００６】
【特許文献１】特開２００９−２１８８９２号公報
【特許文献２】特開２００５−２１７５８８号公報
【特許文献３】特開２００７−１８４８１３号公報
【発明の概要】
【発明が解決しようとする課題】
【０００７】
視聴可能なコンテンツが複数ある場合、ユーザは、より面白いコンテンツ・より盛り上がっているコンテンツを視聴したいという要望がある。しかしながら、上記３つの特許文献はいずれも、選局可能な複数の放送チャンネルの中から一の放送チャンネルを選局する際の選局操作自体を容易に行わせるための技術を提案するものであり、視聴可能な複数のコンテンツのうち、より面白いコンテンツ・より盛り上がっているコンテンツをユーザに視聴させることができる技術を提案するものではない。
【０００８】
また、上記３つの特許文献に開示される技術はいずれも、テレビ受像機に搭載される機能に関する技術である。このため、選局操作を行うためには、テレビ受像機に付属の専用リモコンを用いなければならず、操作性が悪いという問題もある。
【０００９】
本発明の目的は、視聴可能なコンテンツが複数ある場合に、より面白いコンテンツ・より盛り上がっているコンテンツをユーザに視聴させることができる携帯端末装置、情報通信システム、チャンネル選局方法、プログラムおよび記録媒体を提供することである。
【課題を解決するための手段】
【００１０】
本発明は、複数の放送チャンネルの中から選択された一の放送チャンネルで放送中のコンテンツを表示するコンテンツ表示装置と通信可能な携帯端末装置であって、
前記複数の放送チャンネルにおいて放送中の各コンテンツの視聴に関する指標を示す指標情報を、通信ネットワークを介して予め定める外部の装置から取得する指標情報取得手段と、
前記指標情報に従って、前記複数の放送チャンネルにおいて放送中の各コンテンツを順位付けする順位付与手段と、
コンテンツ表示装置に表示されているコンテンツを特定するための表示情報を取得する表示情報取得手段と、
前記表示情報によって特定されたコンテンツの順位よりも上位のコンテンツを特定する上位コンテンツ特定手段とを含むことを特徴とする携帯端末装置である。
また本発明は、複数の放送チャンネルの中から選択された一の放送チャンネルで放送中のコンテンツを表示するコンテンツ表示装置と通信可能な携帯端末装置であって、
前記複数の放送チャンネルにおいて放送中の各コンテンツの視聴に関する指標を示す指標情報を、通信ネットワークを介して予め定める外部の装置から取得する指標情報取得手段と、
前記指標情報に従って、前記複数の放送チャンネルにおいて放送中の各コンテンツを順位付けする順位付与手段と、
コンテンツ表示装置に表示されているコンテンツを特定するための表示情報を取得する表示情報取得手段と、
ユーザによって操作される指標順操作手段であって、コンテンツ表示装置に表示されるコンテンツを、前記順位付与手段によって付与された順位の順に従って切り替えるための指標順操作手段と、
前記指標順操作手段が操作されると、前記順位付与手段によって付与された順位に基づいて、前記表示情報によって特定されたコンテンツの順位よりも一つ上位または下位のコンテンツを特定するコンテンツ特定手段と、
前記コンテンツ特定手段によって特定されたコンテンツをコンテンツ表示装置に表示させるためのコンテンツ切替信号を生成して出力するコンテンツ切替手段とを含むことを特徴とする携帯端末装置である。
【００１１】
また本発明は、複数の放送チャンネルで放送されている各コンテンツを同時に録画可能であって、同時に録画された複数のコンテンツの中から選択された一のコンテンツを表示するコンテンツ表示装置と通信可能な携帯端末装置であって、
同時に録画された各コンテンツの視聴に関する指標を示す指標情報を、通信ネットワークを介して予め定める外部の装置、またはコンテンツを録画する際に前記指標情報を予め定める外部の装置から取得し、複数のコンテンツと前記指標情報とを合わせて保持するコンテンツ表示装置から取得する指標情報取得手段と、
前記指標情報に従って、前記同時に録画された各コンテンツを順位付けする順位付与手
段と、
コンテンツ表示装置に表示されているコンテンツを特定するための表示情報を取得する表示情報取得手段と、
ユーザによって操作される指標順操作手段であって、コンテンツ表示装置に表示されるコンテンツを、前記順位付与手段によって付与された順位の順に従って切り替えるための指標順操作手段と、
前記指標順操作手段が操作されると、前記順位付与手段によって付与された順位に基づいて、前記表示情報によって特定されたコンテンツの順位よりも一つ上位または下位のコンテンツを特定するコンテンツ特定手段と、
前記コンテンツ特定手段によって特定されたコンテンツをコンテンツ表示装置に表示させるためのコンテンツ切替信号を生成して出力するコンテンツ切替手段とを含むことを特徴とする携帯端末装置である。
【００１２】
また本発明は、前記コンテンツ切替手段は、前記コンテンツ切替信号とともに、前記表示情報によって特定されたコンテンツの指標情報に関連する指標関連情報をコンテンツ表示装置に表示させるための指標関連情報表示信号を生成して出力することを特徴とする。
【００１３】
また本発明は、前記コンテンツ特定手段は、前記順位付与手段によって付与された順位に基づいて、前記表示情報によって特定されたコンテンツが最も上位である場合、最も下位のコンテンツを、前記表示情報によって特定されたコンテンツよりも一つ上位のコンテンツとして特定し、前記表示情報によって特定されたコンテンツが最も下位である場合、最も上位のコンテンツを、前記表示情報によって特定されたコンテンツよりも一つ下位のコンテンツとして特定することを特徴とする。
【００１４】
また本発明は、ユーザによって操作される最高順位選択操作手段であって、コンテンツ表示装置に表示されるコンテンツを、前記順位付与手段によって付与された順位において最も上位のコンテンツに切り替えるための最高順位選択操作手段をさらに含み、
前記コンテンツ切替手段は、前記最高順位選択操作手段が操作されると、前記順位付与手段によって付与された順位に基づいて、最も上位のコンテンツをコンテンツ表示装置に表示させるためのコンテンツ切替信号を生成して出力することを特徴とする。
【００１５】
また本発明は、複数の放送チャンネルの中から選択された一の放送チャンネルで放送中のコンテンツを表示するコンテンツ表示装置と通信可能な携帯端末装置であって、
前記複数の放送チャンネルにおいて放送中の各コンテンツの視聴に関する指標を示す指標情報を、通信ネットワークを介して予め定める外部の装置から取得する指標情報取得手段と、
前記指標情報に従って、前記複数の放送チャンネルにおいて放送中の各コンテンツを順位付けする順位付与手段と、
コンテンツ表示装置に表示されているコンテンツを特定するための表示情報を取得する表示情報取得手段と、
前記表示情報によって特定されたコンテンツの順位よりも上位のコンテンツの有無を判断し、上位のコンテンツが有る場合に、上位のコンテンツが有ることを報知する報知手段とを含むことを特徴とする携帯端末装置である。
【００１６】
また本発明は、画像を表示可能な表示手段をさらに含み、
前記報知手段は、前記上位のコンテンツを示す文字情報、画像情報および映像情報のうちの少なくともいずれか１つの情報を、前記表示手段に表示させることを特徴とする。
【００１７】
また本発明は、前記報知手段は、前記上位のコンテンツのうちの最も上位のコンテンツを示す文字情報、画像情報および映像情報のうちの少なくともいずれか１つの情報を、前記表示手段に表示させることを特徴とする。
【００１８】
また本発明は、ユーザによって操作される報知コンテンツ選択操作手段であって、コンテンツ表示装置に表示されるコンテンツを、前記表示手段に表示された情報に係るコンテンツに切り替えるための報知チャンネル選択操作手段と、
前記報知コンテンツ選択操作手段が操作されると、前記表示手段に表示された情報に係るコンテンツをコンテンツ表示装置に表示させるためのコンテンツ切替信号を生成して出力するコンテンツ切替手段とをさらに含むことを特徴とする。
【００１９】
また本発明は、前記報知手段は、前記上位のコンテンツを示す文字情報、画像情報および映像情報のうちの少なくともいずれか１つの情報、または前記上位のコンテンツのうちの最も上位のコンテンツを示す文字情報、画像情報および映像情報のうちの少なくともいずれか１つの情報をコンテンツ表示装置に表示させるための情報表示信号を生成して出力することを特徴とする。
【００２０】
また本発明は、前記報知手段は、前記上位のコンテンツのうちの最も上位のコンテンツを、ＰｉｎＰまたはＰｂｙＰの形式でコンテンツ表示装置に表示させるための割込み表示信号を生成して出力することを特徴とする。
【００２１】
また本発明は、音を出力可能な音出力手段をさらに含み、
前記報知手段は、前記上位のコンテンツが有る場合に、前記音出力手段に予め定める報知音を出力させることを特徴とする。
【００２２】
また本発明は、振動可能な振動手段をさらに含み、
前記報知手段は、前記上位のコンテンツが有る場合に、前記振動手段を予め定める振動パターンで振動させることを特徴とする。
【００２３】
また本発明は、前記コンテンツの視聴に関する指標は、該コンテンツに対するミニブログの投稿数またはミニブログの投稿数に基づいて算出される仮想的な視聴率であることを特徴とする。
【００２４】
また本発明は、前記コンテンツの視聴に関する指標は、該コンテンツの視聴率であることを特徴とする。
【００２５】
また本発明は、複数の放送チャンネルの中から選択された一の放送チャンネルで放送中のコンテンツを表示するコンテンツ表示装置と通信可能な携帯端末装置を用いたチャンネル選局方法であって、
前記複数の放送チャンネルにおいて放送中の各コンテンツの視聴に関する指標を示す指標情報を、通信ネットワークを介して予め定める外部の装置から取得する指標情報取得ステップと、
前記指標情報に従って、前記複数の放送チャンネルにおいて放送中の各コンテンツを順位付けする順位付与ステップと、
コンテンツ表示装置に表示されているコンテンツを特定するための表示情報を取得する表示情報取得ステップと、
前記表示情報によって特定されたコンテンツの順位よりも上位のコンテンツを特定する上位コンテンツ特定ステップとを含むことを特徴とするチャンネル選局方法である。
【００２６】
また本発明は、前記携帯端末装置と、通信ネットワークを介して前記携帯端末装置と通信可能なサーバ装置とによって構成される情報通信システムであって、
前記サーバ装置は、
前記指標情報を記憶する指標情報記憶部と、
前記携帯端末装置から前記指標情報を要求する要求信号を受信すると、前記指標情報記憶部に記憶されている指標情報を、該要求信号を送信した携帯端末装置へ送信する指標情報送信手段とを含むことを特徴とする情報通信システムである。
【００２７】
また本発明は、複数の放送チャンネルの中から選択された一の放送チャンネルで放送中のコンテンツを表示するコンテンツ表示装置と通信可能な携帯端末装置を用いたチャンネル選局方法であって、
前記複数の放送チャンネルにおいて放送中の各コンテンツの視聴に関する指標を示す指標情報を、通信ネットワークを介して予め定める外部の装置から取得する指標情報取得ステップと、
前記指標情報に従って、前記複数の放送チャンネルにおいて放送中の各コンテンツを順位付けする順位付与ステップと、
コンテンツ表示装置に表示されているコンテンツを特定するための表示情報を取得する表示情報取得ステップと、
ユーザによって操作される指標順操作手段であって、コンテンツ表示装置に表示されるコンテンツを、前記順位付与ステップにおいて付与された順位の順に従って切り替えるための指標順操作手段が操作されると、前記順位付与ステップにおいて付与された順位に基づいて、前記表示情報によって特定されたコンテンツの順位よりも一つ上位または下位のコンテンツを特定するコンテンツ特定ステップと、
前記コンテンツ特定ステップにおいて特定されたコンテンツをコンテンツ表示装置に表示させるためのコンテンツ切替信号を生成して出力するコンテンツ切替ステップとを含むことを特徴とするチャンネル選局方法である。
【００２８】
また本発明は、複数の放送チャンネルで放送されている各コンテンツを同時に録画可能であって、同時に録画された複数のコンテンツの中から選択された一のコンテンツを表示するコンテンツ表示装置と通信可能な携帯端末装置を用いたチャンネル選局方法であって、
同時に録画された各コンテンツの視聴に関する指標を示す指標情報を、通信ネットワークを介して予め定める外部の装置から取得する指標情報取得ステップと、
前記指標情報に従って、前記同時に録画された各コンテンツを順位付けする順位付与ステップと、
コンテンツ表示装置に表示されているコンテンツを特定するための表示情報を取得する表示情報取得ステップと、
ユーザによって操作される指標順操作手段であって、コンテンツ表示装置に表示されるコンテンツを、前記順位付与ステップにおいて付与された順位の順に従って切り替えるための指標順操作手段が操作されると、前記順位付与ステップにおいて付与された順位に基づいて、前記表示情報によって特定されたコンテンツの順位よりも一つ上位または下位のコンテンツを特定するコンテンツ特定ステップと、
前記コンテンツ特定ステップにおいて特定されたコンテンツをコンテンツ表示装置に表示させるためのコンテンツ切替信号を生成して出力するコンテンツ切替ステップとを含むことを特徴とするチャンネル選局方法である。
【００２９】
また本発明は、複数の放送チャンネルの中から選択された一の放送チャンネルで放送中のコンテンツを表示するコンテンツ表示装置と通信可能な携帯端末装置を用いたチャンネル選局方法であって、
前記複数の放送チャンネルにおいて放送中の各コンテンツの視聴に関する指標を示す指標情報を、通信ネットワークを介して予め定める外部の装置から取得する指標情報取得ステップと、
前記指標情報に従って、前記複数の放送チャンネルにおいて放送中の各コンテンツを順
位付けする順位付与ステップと、
コンテンツ表示装置に表示されているコンテンツを特定するための表示情報を取得する表示情報取得ステップと、
前記表示情報によって特定されたコンテンツの順位よりも上位のコンテンツの有無を判断し、上位のコンテンツが有る場合に、上位のコンテンツが有ることを報知する報知ステップとを含むことを特徴とするチャンネル選局方法である。
【００３０】
また本発明は、コンピュータに、前記チャンネル選局方法を実行させるためのプログラムである。
また本発明は、前記プログラムを記録したコンピュータ読み取り可能な記録媒体である。
【発明の効果】
【００３１】
本発明によれば、ユーザは、携帯端末装置を操作することによって、コンテンツ表示装置に表示されるコンテンツを、盛上りの順にしたがって切り替えることができる。したがって、ユーザは、より面白いコンテンツ・より盛り上がっているコンテンツを容易に視聴することができる。
【図面の簡単な説明】
【００３２】
【図１】本発明の第１の実施形態に係る情報通信システム１の概略的な構成を示す概略構成図である。
【図２】本発明の第１の実施形態に係る携帯端末装置１０の電気的構成の一例を示すブロック図である。
【図３】本発明の第１の実施形態に係る携帯端末装置１０の外観を示す平面図である。
【図４】本発明の第１の実施形態に係る情報通信システム１を構成するサーバ装置２０の電気的構成の一例を示すブロック図である。
【図５】サーバ装置２０の記憶部２４に記憶される指標情報テーブル４１のデータ構成の一例を示す図である。
【図６】本発明の第１の実施形態に係る携帯端末装置１０による遠隔操作対象のＴＶ受像機３の電気的構成の一例を示すブロック図である。
【図７】本発明の第１の実施形態に係る携帯端末装置１０によって実現される各機能を示す機能ブロック図である。
【図８】コンテンツリスト生成部５１によって生成されるコンテンツリスト４２のデータ構成の一例を示す図である。
【図９】本発明の第１の実施形態に係る携帯端末装置１０の表示部１１に表示される第１リモコン画面Ｄ１の一例を示す図である。
【図１０】ＴＶ受像機３の表示部３３に盛上り率がＯＳＤ表示された状態を示す図である。
【図１１】本発明の第１の実施形態に係る携帯端末装置１０を用いたチャンネル選局方法の動作手順を示すフローチャートである。
【図１２】本発明の第２の実施形態に係る携帯端末装置１０の表示部１１に表示される第２リモコン画面Ｄ２の一例を示す図である。
【図１３】本発明の第３の実施形態に係る携帯端末装置１０によって実現される各機能を示す機能ブロック図である。
【図１４】本発明の第３の実施形態に係る携帯端末装置１０の表示部１１に表示される第３リモコン画面Ｄ３の一例を示す図である。
【図１５】本発明の第３の実施形態に係る携帯端末装置１０を用いたチャンネル選局方法の動作手順を示すフローチャートである。
【図１６】本発明の第４の実施形態に係る携帯端末装置１０によって実現される各機能を示す機能ブロック図である。
【図１７】最上位のテレビ番組ＱをＰｉｎＰの形式でＴＶ受像機３に表示させた状態を示す図である。
【図１８】最上位のテレビ番組ＱをＰｂｙＰの形式でＴＶ受像機３に表示させた状態を示す図である。
【発明を実施するための形態】
【００３３】
図１は、本発明の第１の実施形態に係る情報通信システム１の概略的な構成を示す概略構成図である。本実施形態に係る情報通信システム１は、通信ネットワーク２を介して互いに通信可能な携帯端末装置１０とサーバ装置２０とを含んで構成される。
【００３４】
携帯端末装置１０は、通信ネットワーク２を介してサーバ装置２０と通信可能に構成されるとともに、画像を表示可能な表示部１１を備え、さらに、テレビジョン受像機（以下、「ＴＶ受像機」と略記する）３を遠隔操作するための無線信号を送信可能に構成される携帯型の端末装置によって実現される。
【００３５】
本実施形態では、携帯端末装置１０として、スマートフォンなどの携帯電話機を想定している。しかしながら、これに限定されることはなく、他の実施形態では、携帯端末装置１０は、たとえばＰＤＡ（Personal Digital Assistant）のように電話機能を備えていない携帯型の端末装置によって実現されてもよい。
【００３６】
図２は、本発明の第１の実施形態に係る携帯端末装置１０の電気的構成の一例を示すブロック図である。図３は、本発明の第１の実施形態に係る携帯端末装置１０の外観を示す平面図である。本実施形態に係る携帯端末装置１０は、表示部１１と、操作部１２と、音声入出力部１３と、振動部１４と、第１無線通信部１５と、第２無線通信部１６と、制御部１７と、記憶部１８とを含んで構成され、前記のようにスマートフォンによって実現される。
【００３７】
表示部１１は、画像を表示可能に構成され、たとえば液晶パネルおよびバックライトユニットを備える液晶ディスプレイによって実現される。表示部１１には、電話機能や電子メール機能を使用する際の操作画面やウェブブラウザ５によるウェブサイト閲覧画面などの各種画面が表示される。本実施形態では、表示部１１は、液晶ディスプレイによって実現されているが、他の実施形態では、有機ＥＬ（Electroluminescence）ディスプレイなどによって実現されてもよい。
【００３８】
操作部１２は、制御部１７に対し指令やデータを入力するための操作を受け付ける操作部分を含み、操作部分がユーザによって操作されると、その操作部分に対応した指令信号や入力データを制御部１７へ出力する。操作部分は、本実施形態では、表示部１１における画像の表示領域に対するタッチ入力を検出可能なタッチパネル１２ａと、複数の操作ボタン１２ｂとによって実現される。
【００３９】
音声入出力部１３は、電話・電子メールの着信をユーザに報知するための着信音などのサウンドや、電話機能による音声通話時の相手方の音声を出力するスピーカ１３ａと、スピーカ１３ａによるサウンド出力および音声出力を制御する音声出力制御部１３ｂと、電話機能による音声通話時にユーザの音声を入力するためのマイク１３ｃと、マイク１３ｃに対する音声入力を制御する音声入力制御部１３ｄとを含んで構成される。
【００４０】
振動部１４は、携帯端末装置１０を振動させるための振動モータを含んで構成され、制御部１７から出力される振動制御信号に応答して振動モータが作動することによって、携帯端末装置１０を振動させる。
【００４１】
たとえば、電話・電子メールの着信時に振動によってユーザに報知するように設定されている場合、制御部１７は、電話・電子メールの着信に応答して、予め設定された振動パターンで振動させるための振動制御信号を振動部１４へ出力する。振動部１４は、この振動制御信号に応答して、携帯端末装置１０を振動させる。本実施形態では、制御部１７は、振動パターンの異なる複数種類の振動制御信号を振動部１４へ出力可能に構成されている。
【００４２】
第１無線通信部１５は、ＴＶ受像機３と近距離無線通信によって通信を行うための通信インターフェイスとして機能する。具体的には、第１無線通信部１５は、ＴＶ受像機３の動作を指定するための各種のコマンドデータを、近距離無線通信によって外部へ送信する機能を有する。以下、第１無線通信部１５によって送信される無線信号であって、このコマンドデータを含む無線信号を、「コマンド信号」と称する。
【００４３】
各種のコマンドデータとしては、たとえば「音量を一段階上げる」、「電源を投入／遮断する」、「チャンネルを切り換える」などといったものが含まれる。このようなコマンドデータは、記憶部１８に記憶されるアプリケーションプログラム（以下、「アプリケーション」と略記する）６の実行時に、ユーザによる前記操作部分への操作に応答して、制御部１７によって生成される。
【００４４】
第１無線通信部１５は、さらに、ＴＶ受像機３から近距離無線通信によって送信される無線信号であるチャンネル通知信号を受信する機能を有する。チャンネル通知信号については後述する。
【００４５】
第１無線通信部１５とＴＶ受像機３との通信の形態は、赤外線を用いた通信であってもよく、ＩＥＥＥ８０２．１１、Ｂｌｕｅｔｏｏｔｈ（登録商標）およびＺｉｇｂｅｅ（登録商標）などの無線通信規格に基づく電波を用いた通信であってもよい。本実施形態では、第１無線通信部１５とＴＶ受像機３とは、赤外線を用いて双方向に通信するように構成されているものとする。
【００４６】
第２無線通信部１６は、通信制御部とアンテナとを含んで構成される。通信制御部は、アンテナを介して、携帯電話基地局との間で無線通信を行い、電話機能を備える他の端末との音声通話を実現させる。また、通信制御部は、携帯電話網およびインターネットを含む通信ネットワーク２を介して、サーバ装置２０との間でデータ通信を実現させる。
【００４７】
制御部１７は、ＣＰＵ（Central Processing Unit）、ＲＯＭ（Read Only Memory）およびＲＡＭ（Random Access Memory）などを含んで構成され、ＲＯＭや記憶部１８に記憶される各種プログラムに従って携帯端末装置１０全体の制御を行う。
【００４８】
記憶部１８は、フラッシュメモリおよびＨＤＤ（Hard Disk Drive）などによって実現され、各種プログラムやデータが記憶される。本実施形態では、記憶部１８には、ウェブブラウザ５のほか、ＴＶ受像機３を遠隔操作する機能を実現させるための、本発明の一実施形態に係るアプリケーション６が記憶される。
【００４９】
図４は、本発明の第１の実施形態に係る情報通信システム１を構成するサーバ装置２０の電気的構成の一例を示すブロック図である。サーバ装置２０は、通信部２１と、操作部２２と、制御部２３と、記憶部２４とを含んで構成される。サーバ装置２０は、たとえばＰＣ（Personal Computer）によって実現される。
【００５０】
通信部２１は、インターネットを介して、携帯端末装置１０やＰＣなどの他の端末と通信を行うための通信インターフェイスとして機能する。インターネットへの接続は、たとえばイーサネット（登録商標）によって実現される。
【００５１】
操作部２２は、制御部２３に対し指令やデータを入力するための操作を受け付ける操作部分を含み、操作部分がユーザによって操作されると、その操作部分に対応した指令信号や入力データを制御部２３へ出力する。操作部分は、たとえばキーボードやマウスなどによって実現される。制御部２３は、ＣＰＵ、ＲＯＭおよびＲＡＭなどを含んで構成され、ＲＯＭや記憶部２４に記憶される各種プログラムに従って、サーバ装置２０全体の制御を行う。
【００５２】
記憶部２４は、フラッシュメモリ、ＨＤＤおよびＳＳＤ（Solid State Drive）など不揮発性で大容量のデバイスによって構成され、各種プログラムおよびデータが記憶される。本実施形態では、記憶部２４には、ダウンロード用のアプリケーション６が記憶されるとともに、該アプリケーション６を実行する携帯端末装置１０に対して提供される各種のデータが記憶される。
【００５３】
図５は、サーバ装置２０の記憶部２４に記憶される指標情報テーブル４１のデータ構成の一例を示す図である。指標情報テーブル４１には、各放送チャンネルにおいて現在放送中の各テレビ番組（コンテンツ）の視聴に関する指標を示すデータ（以下、「番組指標データ」と称する）が、予め定める時間単位（図５に示す例では１分単位）で順次記憶されていく。
【００５４】
ここで、各テレビ番組の番組指標データとは、本実施形態では、各テレビ番組の盛上りの度合いを、前記予め定める時間ごとに数値化して表したデータのことであり、具体的には、たとえばｔｗｉｔｔｅｒ（登録商標）などのミニブログサービスにおいて、現在放送中の各テレビ番組に関して、前記予め定める時間の間に投稿されたミニブログの投稿数を示すデータである。
【００５５】
指標情報テーブル４１には、前記予め定める時間の起算開始の日時データ４１ａが格納されるとともに、起算開始日時から前記予め定める時間での各テレビ番組に対するミニブログの投稿数を示す投稿数データ４１ｂ、および各テレビ番組に対するミニブログの投稿数に基づいて算出される仮想的な視聴率を示す仮想視聴率データ４１ｃが、放送チャンネルごとに格納される。仮想的な視聴率は、たとえば各テレビ番組に対するミニブログの投稿数を総計した合計投稿数を基準値としたときの、各テレビ番組に対するミニブログの投稿数の比率（単位：％）によって求められる。
【００５６】
本実施形態では、サーバ装置２０の制御部２３は、予め定めるミニブログサービスにおいて投稿されるミニブログを監視し、各テレビ番組に対するミニブログの投稿数を１分ごとに集計し、投稿数データ４１ｂおよび仮想視聴率データ４１ｃを指標情報テーブル４１に順次格納する。
【００５７】
このように本実施形態では、各テレビ番組の番組指標データとして、ミニブログサービスでの現在放送中の各テレビ番組に関するミニブログの投稿数を用いているが、他の実施形態では、現在放送中の各テレビ番組の予め定める時間単位の視聴率を用いてもよい。この場合、サーバ装置２０の制御部２３は、インターネットを介して、外部の視聴率調査機関によって調査された各テレビ番組の視聴率を取得して、指標情報テーブル４１に順次格納する。
【００５８】
サーバ装置２０の記憶部２４には、上記のような指標情報テーブル４１のほか、地上デジタルテレビ放送、ＢＳデジタル放送、およびＣＳデジタル放送の各放送チャンネルで放送中および放送予定のテレビ番組に関する情報（たとえば、番組タイトル、放送時間、番組内容、出演者など）を含む番組表データ４０が格納されている。
【００５９】
サーバ装置２０の制御部２３は、携帯端末装置１０から送信される後述の要求信号に応答して、要求されている情報を記憶部２４から抽出する。そして、制御部２３は、抽出した情報を、該要求信号を送信してきた携帯端末装置１０へ送信するように、通信部２１を制御する。
【００６０】
本実施形態に係る情報通信システム１は、このようなサーバ装置２０と、アプリケーション６を実行する携帯端末装置１０とによって構成される。このアプリケーション６は、本実施形態では、サーバ装置２０からダウンロードすることによって取得可能に構成されている。しかしながら、他の実施形態では、アプリケーション６をダウンロードするためのサーバ装置が、サーバ装置２０とは別途に設けられていてもよい。携帯端末装置１０にダウンロードされたアプリケーション６は、インストールされることによって、その携帯端末装置１０に導入され実行可能となる。
【００６１】
図６は、本発明の第１の実施形態に係る携帯端末装置１０による遠隔操作対象のＴＶ受像機３の電気的構成の一例を示すブロック図である。ＴＶ受像機３には、本実施形態では、地上デジタルテレビ放送用のチューナー（不図示）が搭載され、ユーザは、ＴＶ受像機３に付属の専用の遠隔操作装置（以下、「リモコン」と略記する）を操作して放送チャンネルを選局することにより、その放送チャンネルで放送されているテレビ番組を表示部３３に表示させることができる。すなわち、ＴＶ受像機３は、コンテンツ表示装置に相当する。他の実施形態では、ＴＶ受像機３に、ＢＳデジタルテレビ放送用およびＣＳデジタルテレビ放送用のチューナーが接続されていてもよい。
【００６２】
ＴＶ受像機３は、前記チューナーのほか、第１無線通信部３１と、第２通信部３２と、表示部３３と、制御部３４と、記憶部３５とを含んで構成される。
【００６３】
第１無線通信部３１は、携帯端末装置１０と近距離無線通信によって通信を行うための通信インターフェイスとして機能する。具体的には、第１無線通信部３１は、携帯端末装置１０から近距離無線通信によって送信されるコマンド信号を受信する機能を有する。
【００６４】
第１無線通信部３１は、コマンド信号を受信すると、そのコマンド信号を解析し、コマンド信号に含まれるコマンドデータを制御部３４へ与える。制御部３４は、第１無線通信部３１からコマンドデータが与えられると、そのコマンドデータに応じた動作を実行する。
【００６５】
第１無線通信部３１は、さらに、ＴＶ受像機３において現在表示されているテレビ番組を特定するための表示情報を、近距離無線通信によって外部へ送信する機能を有する。表示情報については後述する。以下、第１無線通信部３１によって送信される無線信号であって、この表示情報を含む無線信号を、「チャンネル通知信号」と称する。この表示情報は、表示情報を要求するコマンド信号（以下、「チャンネル要求信号」と称する）を第１無線通信部３１が受信した場合に、制御部３４によって生成される。
【００６６】
第１無線通信部３１と携帯端末装置１０との通信の形態は、前述と同様に、赤外線を用いた通信であってもよく、ＩＥＥＥ８０２．１１、Ｂｌｕｅｔｏｏｔｈ（登録商標）およびＺｉｇｂｅｅ（登録商標）などの無線通信規格に基づく電波を用いた通信であってもよい。本実施形態では、第１無線通信部３１と携帯端末装置１０とは、赤外線を用いて双方向に通信するように構成されているものとする。
【００６７】
第２通信部３２は、インターネットを介して、他の装置と通信を行うための通信インターフェイスとして機能する。インターネットへの接続は、たとえばイーサネット（登録商標）によって実現される。
【００６８】
表示部３３は、放送信号に含まれる映像信号に基づく映像を表示可能に構成され、たとえば液晶パネルおよびバックライトユニットを備える液晶ディスプレイによって実現される。すなわち、ＴＶ受像機３は、本実施形態では液晶表示装置によって実現される。また、ＴＶ受像機３は、図示しないが、放送信号に含まれる音声信号に基づく音声を出力可能な音声出力部を備えている。
【００６９】
制御部３４は、ＣＰＵ、ＲＯＭおよびＲＡＭなどを含んで構成され、ＲＯＭや記憶部３５に記憶される各種プログラムに従って、ＴＶ受像機３全体の制御を行う。
【００７０】
本実施形態では、ＴＶ受像機３に対し、そのＴＶ受像機３が設けられている地域が予め設定されている。地域の設定は、たとえば都道府県あるいは郵便番号などの情報を入力することによって行われる。これにより、放送波に含まれるＳＩ（Service Information）情報に基づいて、リモコンに設けられている１〜１２のキー番号（以下、「リモコンキーＩＤ」と称する）に対して、その地域において選局可能な各放送チャンネルが割り当てられる。
【００７１】
制御部３４は、このようにして各リモコンキーＩＤに対して放送チャンネルが割り当てられると、各リモコンキーＩＤと選局可能な放送チャンネルとの対応テーブル４３を作成し、作成した対応テーブル４３を記憶部３５に格納する。また、制御部３４は、放送波に含まれる番組表データ４４を取得し、取得した番組表データ４４を記憶部３５に格納する。
【００７２】
そして、第１無線通信部３１がチャンネル要求信号を受信すると、制御部３４は、前記対応テーブル４３または番組表データ４４に基づいて、表示部３３において現在表示中のテレビ番組を特定するための表示情報を生成し、その表示情報を第１無線通信部３１に与え、第１無線通信部３１にチャンネル通知信号を生成させて外部へ送信させる。
【００７３】
本実施形態では、制御部３４は、記憶部３５に記憶される番組表データ４４を参照して、ＴＶ受像機３において現在表示されているテレビ番組の番組名を抽出し、それを表示情報としている。表示情報としては、ＴＶ受像機３において現在表示されているテレビ番組を特定するために用いられる情報であればよく、たとえば番組表データ４４に基づいて、ＴＶ受像機３において現在表示されているテレビ番組を放送している放送局の名称を表示情報としてもよい。また、対応テーブル４３に基づいて、ＴＶ受像機３において現在表示されているテレビ番組を放送している放送チャンネルに割り当てられているリモコンキーＩＤを表示情報としてもよい。
【００７４】
記憶部３５は、フラッシュメモリカードなど不揮発性のデバイスによって構成され、各種プログラムおよびデータが記憶される。
【００７５】
図７は、本発明の第１の実施形態に係る携帯端末装置１０によって実現される各機能を示す機能ブロック図である。図７に示す各部５１〜５９は、制御部１７が、記憶部１８に記憶されるアプリケーション６を実行することによって実現される。
【００７６】
コンテンツリスト生成部５１は、予め設定された地域において選局可能な各放送チャンネルに関する番組表データ４０をサーバ装置２０から取得して、コンテンツリスト４２（図８参照）を生成する。具体的には、コンテンツリスト生成部５１は、番組表データ４０をサーバ装置２０に要求するための番組表データ要求信号を生成し、第２無線通信部１６に、生成した番組表データ要求信号を送信させる。
【００７７】
サーバ装置２０では、通信部２１が番組表データ要求信号を受信すると、制御部２３は、記憶部２４に記憶されている番組表データ４０を提供するための番組表データ通知信号を生成し、通信部２１に、番組表データ要求信号を送信してきた携帯端末装置１０に対して、生成した番組表データ通知信号を送信させる。
【００７８】
これにより、第２無線通信部１６が番組表データ通知信号を受信すると、コンテンツリスト生成部５１は、取得した番組表データ４０に基づいて、コンテンツリスト４２を生成する。
【００７９】
なお、地域の設定は、たとえばアプリケーション６の初回実行時に行われ、前記と同様に、都道府県あるいは郵便番号などを入力することによって行われる。設定された地域を示す地域データは、記憶部１８に記憶される。なお、地域の設定は、アプリケーション６の動作中に、適宜変更可能である。
【００８０】
また、番組表データ４０は、本実施形態では、サーバ装置２０から取得されるように構成されているが、他の実施形態では、ＴＶ受像機３から取得するように構成してもよい。この場合、コンテンツリスト生成部５１は、番組表データ４４をＴＶ受像機３に要求するためのコマンド信号（以下、「番組表データ要求信号」と称する）を生成し、第１無線通信部１５に、生成した番組表データ要求信号を送信させる。
【００８１】
図８は、コンテンツリスト生成部５１によって生成されるコンテンツリスト４２のデータ構成の一例を示す図である。コンテンツリスト４２には、１〜１２の各キー番号を示すリモコンキーＩＤデータ４２ａと、予め設定された地域において選局可能な各放送チャンネルの放送局の名称を示す放送局名データ４２ｂと、前記各放送チャンネルにおいて現在放送中のテレビ番組のタイトルを示す番組名データ４２ｃと、前記各放送チャンネルにおいて現在放送中の各テレビ番組に対するミニブログの投稿数を示す投稿数データ４２ｄと、ミニブログの投稿数が多い順に順位付けしたときの順位を示す順位データ４２ｅと、現在放送中の各テレビ番組の盛上り率を示す盛上り率データ４２ｆとが格納される。
【００８２】
ここで、投稿数データ４２ｄは、後述の指標情報取得部５２によって取得されて、コンテンツリスト４２に格納され、順位データ４２ｅは、後述の順位付与部５４によって生成されて、コンテンツリスト４２に格納され、盛上り率データ４２ｆは、後述の盛上り率データ生成部５８によって生成されて、コンテンツリスト４２に格納される。また、放送局名データ４２ｂは、取得した番組表データ４０に基づいて、前記と同様に、予め設定された地域における各リモコンキーＩＤへの放送チャンネルの割り当てに一致するように格納される。
【００８３】
指標情報取得部５２は、選局可能な各放送チャンネルにおいて現在放送中の各テレビ番組に対するミニブログの投稿数データを、サーバ装置２０から取得する。具体的には、指標情報取得部５２は、投稿数データをサーバ装置２０に要求するための投稿数データ要求信号を生成し、第２無線通信部１６に、生成した投稿数データ要求信号を送信させる。
【００８４】
サーバ装置２０では、通信部２１が投稿数データ要求信号を受信すると、制御部２３は、投稿数データ要求信号が送信された時刻を含む１分間についての各放送チャンネルの投稿数データを、記憶部２４に記憶される指標情報テーブル４１から抽出する。そして、制御部２３は、抽出した投稿数データを通知するための投稿数データ通知信号を生成し、通信部２１に、投稿数データ要求信号を送信してきた携帯端末装置１０に対して、生成した投稿数データ通知信号を送信させる。
【００８５】
これにより、第２無線通信部１６が投稿数データ通知信号を受信すると、指標情報取得部５２は、取得した各放送チャンネルの投稿数データを、放送局名データ４２ｂに関連付けてコンテンツリスト４２に格納する。
【００８６】
本実施形態では、指標情報取得部５２は、予め設定された時間おきに、第２無線通信部１６に、投稿数データ要求信号を送信させるように動作する。ここで、予め設定された時間は、たとえば１分である。すなわち、本実施形態では、１分おきに、投稿数データがサーバ装置２０から取得されて、コンテンツリスト４２における投稿数データ４２ｄが更新される。また本実施形態では、サーバ装置２０から番組指標データとして投稿数データが取得されるように構成されているが、サーバ装置２０から番組指標データとして仮想視聴率データが取得されるように構成されてもよい。
【００８７】
表示情報取得部５３は、ＴＶ受像機３において現在表示されているテレビ番組を特定するための表示情報を、ＴＶ受像機３から取得する。具体的には、表示情報取得部５３は、前記チャンネル要求信号を生成し、第１無線通信部１５に、生成したチャンネル要求信号を送信させる。
【００８８】
ＴＶ受像機３では、第１無線通信部３１がチャンネル要求信号を受信すると、制御部３４は、記憶部３５に記憶される番組表データ４４を参照して、表示情報を生成する。そして、制御部３４は、生成した表示情報を第１無線通信部３１に与え、第１無線通信部３１にチャンネル通知信号を生成させて外部へ送信させる。
【００８９】
これにより、第１無線通信部１５がチャンネル通知信号を受信すると、表示情報取得部５３は、チャンネル通知信号に含まれる表示情報を取得する。
【００９０】
順位付与部５４は、指標情報取得部５２によって投稿数データ４２ｄがコンテンツリスト４２に格納されると、格納された投稿数データ４２ｄに基づいて、各放送チャンネルで放送中のテレビ番組を、ミニブログの投稿数の多い順に順位付けし、その順位を示す順位データをコンテンツリスト４２に格納する。本実施形態では、前記のように、指標情報取得部５２によって投稿数データが取得されているが、指標情報取得部５２によって仮想視聴率データが取得されるように構成されている場合には、順位付与部５４は、各放送チャンネルで放送中のテレビ番組を、仮想視聴率の大きい順に順位付けする。
【００９１】
本実施形態では、前記のように投稿数データ４２ｄが１分おきに更新されるので、順位付与部５４も、１分おきに各テレビ番組を順位付けし、コンテンツリスト４２における順位データ４２ｅを更新する。
【００９２】
操作画面生成部５５は、ＴＶ受像機３を遠隔操作するためのＵＩ（User Interface）画面である第１リモコン画面Ｄ１の画像データを生成し、第１リモコン画面Ｄ１を表示部１１に表示させる。
【００９３】
図９は、本発明の第１の実施形態に係る携帯端末装置１０の表示部１１に表示される第１リモコン画面Ｄ１の一例を示す図である。第１リモコン画面Ｄ１には、図９に示すように、電源アイコン７１、音量増加アイコン７２、音量減少アイコン７３、キー番号順チャンネルアップアイコン７４、キー番号順チャンネルダウンアイコン７５、指標順チャンネルアップアイコン７６、および指標順チャンネルダウンアイコン７７が表示されている。また、これらのアイコン７１〜７７をそれぞれ包含する所定の領域に対して、タッチ入力可能なタッチエリア７１ｔ〜７７ｔがそれぞれ設定されている。
【００９４】
第１動作制御部５６は、電源アイコン７１を包含するタッチエリア７１ｔに対してタッチ入力されると、ＴＶ受像機３に電源を投入（ＯＮ）し、または電源を遮断（ＯＦＦ）するためのコマンドデータを生成する。そして、第１無線通信部１５に対し、該コマンドデータを含むコマンド信号（以下、「電源ＯＮ／ＯＦＦ信号」と称する）を生成させて出力させる。
【００９５】
ＴＶ受像機３では、第１無線通信部３１が電源ＯＮ／ＯＦＦ信号を受信すると、制御部３４は、既に電源が供給され、テレビ番組が表示部１１に表示されている場合には、電源の供給を遮断する。また、制御部３４は、電源の供給が遮断されている場合には、電源の供給を開始する。電源の供給が開示されることによって、表示部１１にはテレビ番組が表示される。
【００９６】
また、第１動作制御部５６は、音量増加アイコン７２を包含するタッチエリア７２ｔに対してタッチ入力されると、ＴＶ受像機３の音量を一段階上昇させるためのコマンドデータを生成する。そして、第１無線通信部１５に対し、該コマンドデータを含むコマンド信号（以下、「音量増加信号」と称する）を生成させて出力させる。
【００９７】
同様に、第１動作制御部５６は、音量減少アイコン７３を包含するタッチエリア７３ｔに対してタッチ入力されると、ＴＶ受像機３の音量を一段階低下させるためのコマンドデータを生成する。そして、第１無線通信部１５に対し、該コマンドデータを含むコマンド信号（以下、「音量減少信号」と称する）を生成させて出力させる。
【００９８】
ＴＶ受像機３では、第１無線通信部３１が音量増加信号を受信すると、制御部３４は、ＴＶ受像機３から出力される音の音量を一段階上昇させる。一方、第１無線通信部３１が音量減少信号を受信すると、制御部３４は、ＴＶ受像機３から出力される音の音量を一段階低下させる。
【００９９】
さらに、第１動作制御部５６は、キー番号順チャンネルアップアイコン７４を包含するタッチエリア７４ｔに対してタッチ入力されると、ＴＶ受像機３に現在表示されているテレビ番組を、そのテレビ番組に対応するリモコンキーＩＤよりも１大きなリモコンキーＩＤに対応するテレビ番組に切り替えるためのコマンドデータを生成する。そして、第１無線通信部１５に対し、該コマンドデータを含むコマンド信号（以下、「チャンネルアップ信号」と称する）を生成させて出力させる。
【０１００】
同様に、第１動作制御部５６は、キー番号順チャンネルダウンアイコン７５を包含するタッチエリア７５ｔに対してタッチ入力されると、ＴＶ受像機３に現在表示されているテレビ番組を、そのテレビ番組に対応するリモコンキーＩＤよりも１小さなリモコンキーＩＤに対応するテレビ番組に切り替えるためのコマンドデータを生成する。そして、第１無線通信部１５に対し、該コマンドデータを含むコマンド信号（以下、「チャンネルダウン信号」と称する）を生成させて出力させる。
【０１０１】
ＴＶ受像機３では、第１無線通信部３１がチャンネルアップ信号を受信すると、制御部３４は、「１」〜「１１」のいずれかのリモコンキーＩＤに対応するテレビ番組が現在表示されている場合には、そのリモコンキーＩＤよりも１大きなリモコンキーＩＤに対応するテレビ番組を表示部３３に表示させ、リモコンキーＩＤ「１２」に対応するテレビ番組が現在表示されている場合には、リモコンキーＩＤ「１」に対応するテレビ番組を表示部３３に表示させる。
【０１０２】
一方、第１無線通信部３１がチャンネルダウン信号を受信すると、制御部３４は、「２」〜「１２」のいずれかのリモコンキーＩＤに対応するテレビ番組が現在表示されている場合には、そのリモコンキーＩＤよりも１小さなリモコンキーＩＤに対応するテレビ番組を表示部３３に表示させ、リモコンキーＩＤ「１」に対応するテレビ番組が現在表示されている場合には、リモコンキーＩＤ「１２」に対応するテレビ番組を表示部３３に表示させる。
【０１０３】
第２動作制御部５７は、指標順チャンネルアップアイコン７６を包含するタッチエリア７６ｔに対してタッチ入力されると、先ず、表示情報取得部５３に表示情報を取得させる。
【０１０４】
そして、第２動作制御部５７は、表示情報取得部５３によって取得された表示情報に基づいて、ＴＶ受像機３において現在表示されているテレビ番組の番組名を取得すると、コンテンツリスト４２を参照し、現在表示されているテレビ番組に付与されている順位よりも１つ上の順位が付与されているテレビ番組を特定する。
【０１０５】
たとえば、ＴＶ受像機３において「ＡＡＡテレビ」のテレビ番組が現在表示されている場合、図８に示すコンテンツリスト４２を参照すると、第２コマンドデータ生成部４７は、「ＡＡＡテレビ」の順位が６番目であるので、５番目の順位が付与されている「ＤＤＤテレビ」のテレビ番組を特定する。
【０１０６】
そして、第２動作制御部５７は、特定されたテレビ番組をＴＶ受像機３に表示させるためのコマンドデータを生成し、第１無線通信部１５に対し、該コマンドデータを含むコマンド信号（以下、「チャンネル選局信号」と称する）を生成させて出力させる。
【０１０７】
同様に、第２動作制御部５７は、指標順チャンネルダウンアイコン７７を包含するタッチエリア７７ｔに対してタッチ入力されると、先ず、表示情報取得部５３に表示情報を取得させる。
【０１０８】
そして、第２動作制御部５７は、表示情報取得部５３によって取得された表示情報に基づいて、ＴＶ受像機３において現在表示されているテレビ番組の番組名を取得すると、コンテンツリスト４２を参照し、現在表示されているテレビ番組に付与されている順位よりも１つ下の順位が付与されているテレビ番組を特定する。
【０１０９】
そして、第２動作制御部５７は、特定されたテレビ番組をＴＶ受像機３に表示させるためのコマンドデータを生成し、第１無線通信部１５に対し、チャンネル選局信号を生成させて出力させる。
【０１１０】
ＴＶ受像機３では、第１無線通信部３１がチャンネル選局信号を受信すると、制御部３４は、そのチャンネル選局信号に基づいて、第２動作制御部５７によって特定されたテレビ番組を表示部３３に表示させる。
【０１１１】
盛上り率データ生成部５８は、指標情報取得部５２によって投稿数データ４２ｄがコンテンツリスト４２に格納されると、格納された投稿数データ４２ｄに基づいて、各放送チャンネルで放送中のテレビ番組の盛上り率を算出し、算出した盛上り率をコンテンツリスト４２に格納する。
【０１１２】
ここで、盛上り率とは、選局可能な各放送チャンネルにおいて現在放送中の各テレビ番組の盛上りの割合を示す値であり、本実施形態では、各テレビ番組に対するミニブログの投稿数のうちの最大の投稿数を基準値として、その基準値に対する各テレビ番組へのミニブログの投稿数の比率（単位：％）をとることによって求められる値である。
【０１１３】
盛上り率は、上記の算出方法に限らず、たとえば各テレビ番組に対するミニブログの投稿数を総計した合計投稿数を基準値としたときの、各テレビ番組に対するミニブログの投稿数の比率によって求められてもよく、また、予め設定された閾値を基準値としたときの、各テレビ番組に対するミニブログの投稿数の比率によって求められてもよい。
【０１１４】
指標関連情報表示制御部５９は、第２動作制御部５７によって特定されたテレビ番組の指標に関連する情報（以下、「指標関連情報」と称する）をＴＶ受像機３に表示させるためのコマンドデータを生成し、第１無線通信部１５に対し、該コマンドデータを含むコマンド信号（以下、「指標関連情報表示信号」と称する）を生成させて出力させる。
【０１１５】
ここで、指標関連情報とは、指標情報取得部５２によって取得された番組指標データ（本実施形態では投稿数データ）そのものであってもよく、盛上り率データ生成部５８によって生成された盛上り率であってもよく、順位付与部５４によって付与された順位であってもよく、これらを組み合わせた情報であってもよい。指標関連情報として前記いずれの情報を採用するかは、ユーザによって適宜設定可能であり、本実施形態では、指標関連情報として盛上り率を採用している。なお、前記のように、他の実施形態において、指標情報データとして各テレビ番組の視聴率を採用している場合には、その視聴率自体を指標関連情報としてもよい。
【０１１６】
ＴＶ受像機３では、第１無線通信部３１が指標関連情報表示信号を受信すると、制御部３４は、指標関連情報表示信号に含まれるコマンドデータに基づいて、表示部３３に指標関連情報をＯＳＤ（On Screen Display）表示させる。図１０は、ＴＶ受像機３の表示部３３に盛上り率がＯＳＤ表示された状態を示す図である。
【０１１７】
図１１は、本発明の第１の実施形態に係る携帯端末装置１０を用いたチャンネル選局方法の動作手順を示すフローチャートである。チャンネル選局方法は、制御部１７が、記憶部１８に記憶されるアプリケーション６を実行することによって処理が開始し、ステップｓ１に進む。なお、ＴＶ受像機３には、電源が投入されているものとする。
【０１１８】
ステップｓ１で、コンテンツリスト生成部５１は、予め設定された地域において選局可能な各放送チャンネルに関する番組表データ４０をサーバ装置２０から取得し、コンテンツリスト４２を生成して、ステップｓ２に進む。
【０１１９】
ステップｓ２で、操作画面生成部５５は、第１リモコン画面Ｄ１の画像データを生成し、第１リモコン画面Ｄ１を表示部１１に表示させて、ステップｓ３に進む。
【０１２０】
ステップｓ３で、指標情報取得部５２は、選局可能な各放送チャンネルにおいて現在放送中の各テレビ番組に対するミニブログの投稿数データを、サーバ装置２０から取得し、取得した各放送チャンネルの投稿数データを、放送局名データ４２ｂに関連付けてコンテンツリスト４２に格納して、ステップｓ４に進む。
【０１２１】
ステップｓ４で、順位付与部５４は、コンテンツリスト４２に格納された投稿数データ４２ｄに基づいて、各放送チャンネルで放送中のテレビ番組を、ミニブログの投稿数の多い順に順位付けし、その順位を示す順位データ４２ｅをコンテンツリスト４２に格納して、ステップｓ５に進む。
【０１２２】
ステップｓ５で、盛上り率データ生成部５８は、コンテンツリスト４２に格納された投稿数データ４２ｄに基づいて、各放送チャンネルで放送中のテレビ番組の盛上り率を算出し、算出した盛上り率４２ｆをコンテンツリスト４２に格納して、ステップｓ６に進む。
【０１２３】
ステップｓ６で、第１動作制御部５６は、タッチエリア７１ｔ〜７５ｔのいずれかに対してタッチ入力されたか否かを判断する。タッチ入力されたと判断した場合には、ステップｓ７に進み、タッチ入力されていないと判断した場合には、ステップｓ８に進む。
【０１２４】
ステップｓ７で、第１動作制御部５６は、タッチ入力されたタッチエリア７１ｔ〜７５ｔに応じた処理を実行して、ステップｓ８に進む。
【０１２５】
ステップｓ８で、第２動作制御部５７は、タッチエリア７６ｔ，７７ｔのいずれかに対してタッチ入力されたか否かを判断する。タッチ入力されたと判断した場合には、ステップｓ９に進み、タッチ入力されていないと判断した場合には、ステップｓ１３に進む。
【０１２６】
ステップｓ９で、第２動作制御部５７は、表示情報取得部５３に表示情報を取得させて、ステップｓ１０に進む。ステップｓ１０で、第２動作制御部５７は、表示情報取得部５３によって取得された表示情報に基づいて、コンテンツリスト４２を参照し、現在表示されているテレビ番組に付与されている順位よりも１つ上（タッチエリア７６ｔに対してタッチ入力された場合）または１つ下（タッチエリア７７ｔに対してタッチ入力された場合）の順位が付与されているテレビ番組を特定して、ステップｓ１１に進む。
【０１２７】
ステップｓ１１で、第２動作制御部５７は、ステップｓ１０において特定されたテレビ番組をＴＶ受像機３に表示させるためのコマンドデータを生成し、第１無線通信部１５に対し、チャンネル選局信号を生成させて出力させて、ステップｓ１２に進む。
【０１２８】
ステップｓ１２で、指標関連情報表示制御部５９は、ステップｓ１０において特定されたテレビ番組の盛上り率をＴＶ受像機３に表示させるためのコマンドデータを生成し、第１無線通信部１５に対し、指標関連情報表示信号を生成させて出力させて、ステップｓ１３に進む。これにより、ＴＶ受像機３では、ステップｓ１０において特定されたテレビ番組に表示が切り替わるとともに、そのテレビ番組の盛上り率がＯＳＤ表示される。
【０１２９】
ステップｓ１３で、指標情報取得部５２は、前回の投稿数データ要求信号を送信した時刻から予め設定された時間である１分が経過したか否かを判定し、経過した場合には、ステップｓ３に戻り、経過していない場合には、ステップｓ６に戻る。このような動作手順が、アプリケーション６が終了されるまで継続して実行される。
【０１３０】
以上のように、本実施形態によれば、ユーザは、携帯端末装置１０の表示部１１に表示される第１リモコン画面Ｄ１におけるタッチエリア７６ｔ，７７ｔに対してタッチ入力することにより、視聴可能なテレビ番組を、ミニブログの投稿数に基づく盛上りの順にしたがって、ＴＶ受像機３の表示部３３に表示させることができる。したがって、ユーザは、より面白いテレビ番組・より盛り上がっているテレビ番組を、容易に選択することができる。また、携帯端末装置１０の表示部１１に表示される画面を利用してＴＶ受像機３を遠隔操作することができるので、専用のリモコンを用いる場合に比べて、操作性を向上することができる。
【０１３１】
また、本実施形態によれば、第１リモコン画面Ｄ１におけるタッチエリア７６ｔ，７７ｔに対してタッチ入力すると、ミニブログの投稿数順にＴＶ受像機３においてテレビ番組の表示が切り替わるとともに、表示されたテレビ番組の盛上り率がＯＳＤ表示されるので、ユーザは、表示されたテレビ番組がどの程度盛り上がっているのかを認識しながら、テレビ番組を切り替えることができる。
【０１３２】
また、本実施形態によれば、ミニブログの投稿数に基づく盛上りの順にテレビ番組を切り替えるための入力部（タッチエリア７６ｔ，７７ｔ）と、キー番号順にテレビ番組を切り替えるための入力部（タッチエリア７４ｔ，７５ｔ）とが併設されているので、ユーザは、これら２つの入力部を適宜選択しながら、テレビ番組を切り替えることができる。本実施形態では、タッチエリア７６ｔ，７７ｔに対してタッチ入力された場合に、表示されたテレビ番組の盛上り率がＯＳＤ表示されるように構成されているが、タッチエリア７４ｔ，７５ｔに対してタッチ入力された場合にも、表示されたテレビ番組の盛上り率をＯＳＤ表示するように構成してもよい。
【０１３３】
なお、本実施形態では、第２動作制御部５７は、指標順チャンネルアップアイコン７６を包含するタッチエリア７６ｔに対してタッチ入力されたとき、ＴＶ受像機３に表示されているテレビ番組の順位が最上位（すなわち１位）であれば、コンテンツリスト４２を参照して、最下位（図８に示す例の場合７位）が付与されているテレビ番組を特定し、そのテレビ番組をＴＶ受像機３に表示させるためのコマンドデータを生成して、第１無線通信部１５に対し、チャンネル選局信号を生成させて出力させる。
【０１３４】
同様に、第２動作制御部５７は、指標順チャンネルダウンアイコン７７を包含するタッチエリア７７ｔに対してタッチ入力されたとき、ＴＶ受像機３に表示されているテレビ番組の順位が最下位（図８に示す例の場合７位）であれば、コンテンツリスト４２を参照して、最上位（すなわち１位）が付与されているテレビ番組を特定し、そのテレビ番組をＴＶ受像機３に表示させるためのコマンドデータを生成して、第１無線通信部１５に対し、チャンネル選局信号を生成させて出力させる。
【０１３５】
このように本実施形態では、ミニブログの投稿数に基づく盛上りの順にテレビ番組を切り替える場合、キー番号順でテレビ番組を切り替える場合と同様に、ループさせて切り替わるように構成されている。したがって、順位が下位のテレビ番組がＴＶ受像機３に表示されているときに順位が１位のテレビ番組に切り替えようとする際、ループしない場合に比べて、携帯端末装置１０へのタッチ操作の回数を低減することができ、操作性を向上することができる。
【０１３６】
なお、このようにミニブログの投稿数に基づく盛上りの順にしたがってループさせてテレビ番組を切り替え可能にした場合、ＴＶ受像機３においてテレビ番組の表示が切り替わるだけでは、ユーザは、指標順チャンネルダウンアイコン７７を包含するタッチエリア７７ｔに対して複数回タッチ入力したときに、どの切替タイミングで、最下位のテレビ番組から最上位のテレビ番組に切り替わったのかを認識することができないという問題が生ずるが、本実施形態では、前記のように、表示されたテレビ番組の盛上り率がＯＳＤ表示されるので、ユーザは、そのような問題の発生を回避することができる。
【０１３７】
本実施形態では、前記のように、ミニブログの投稿数に基づく盛上りの順にしたがってループさせてテレビ番組を切り替え可能に構成されているが、他の実施形態では、ループしないように、すなわち最下位のテレビ番組と最上位のテレビ番組との間ではテレビ番組が切り替わらないように構成してもよい。
【０１３８】
図１２は、本発明の第２の実施形態に係る携帯端末装置１０の表示部１１に表示される第２リモコン画面Ｄ２の一例を示す図である。本実施形態に係る携帯端末装置１０は、第２リモコン画面Ｄ２に、最上位チャンネル選択アイコン７８が表示されるとともに、最上位チャンネル選択アイコン７８を包含する領域に、タッチエリア７８ｔが設定されている点においてのみ第１の実施形態と異なり、同一の構成については同一の参照符を付し、重複する説明を省略する。
【０１３９】
本実施形態では、第２動作制御部５７は、最上位チャンネル選択アイコン７８を包含するタッチエリア７８ｔに対してタッチ入力されると、先ず、表示情報取得部５３に表示情報を取得させる。
【０１４０】
そして、第２動作制御部５７は、表示情報取得部５３によって取得された表示情報に基づいて、ＴＶ受像機３において現在表示されているテレビ番組の番組名を取得すると、コンテンツリスト４２を参照し、現在表示されているテレビ番組に付与されている順位が、最上位であるか否かを判定する。
【０１４１】
そして、第２動作制御部５７は、最上位でないと判定した場合には、最上位のテレビ番組を特定し、特定されたテレビ番組をＴＶ受像機３に表示させるためのコマンドデータを生成して、第１無線通信部１５に対し、チャンネル選局信号を生成させて出力させる。
【０１４２】
ＴＶ受像機３では、第１無線通信部３１がチャンネル選局信号を受信すると、制御部３４は、そのチャンネル選局信号に基づいて、第２動作制御部５７によって特定された最上位のテレビ番組を表示部３３に表示させる。
【０１４３】
なお、本実施形態においても、指標関連情報表示制御部５９が、第１無線通信部１５に対し、指標関連情報表示信号を生成させて出力させることにより、ＴＶ受像機３では、最上位のテレビ番組に表示が切り替わるとともに、そのテレビ番組の盛上り率がＯＳＤ表示される。
【０１４４】
一方、第２動作制御部５７は、最上位であると判定した場合には、携帯端末装置１０の表示部１１に、既に最上位のテレビ番組が表示されている旨のメッセージを表示させる。
【０１４５】
以上のように、本実施形態によれば、ユーザは、第２リモコン画面Ｄ２におけるタッチエリア７８ｔに対して１度だけタッチ入力することによって、ミニブログの投稿数に基づく盛上りの順における最上位のテレビ番組を、ＴＶ受像機３の表示部３３に表示させることができる。したがって、盛り上がっているテレビ番組を、より早くＴＶ受像機３に表示させることができ、ユーザは、盛り上がっているシーンを見逃さずに視聴することができる。
【０１４６】
図１３は、本発明の第３の実施形態に係る携帯端末装置１０によって実現される各機能を示す機能ブロック図である。本実施形態に係る携帯端末装置１０によって実現される各機能は、第１の実施形態に係る携帯端末装置１０によって実現される各機能と一部重複するため、同一の構成については同一の参照符を付して、重複する説明を省略する場合がある。
【０１４７】
本実施形態に係る携帯端末装置１０では、制御部１７が、記憶部１８に記憶されるアプリケーション６を実行することによって、コンテンツリスト生成部５１と、指標情報取得部５２と、表示情報取得部５３と、順位付与部５４と、操作画面生成部５５と、第１動作制御部５６と、端末画面報知制御部６０と、第３動作制御部６１と、音報知制御部６２と、振動報知制御部６３とが実現される。
【０１４８】
操作画面生成部５５は、第３リモコン画面Ｄ３の画像データを生成し、第３リモコン画面Ｄ３を表示部１１に表示させる。図１４は、本発明の第３の実施形態に係る携帯端末装置１０の表示部１１に表示される第３リモコン画面Ｄ３の一例を示す図である。第３リモコン画面Ｄ３には、第１リモコン画面Ｄ１と同様に、電源アイコン７１、音量増加アイコン７２、音量減少アイコン７３、キー番号順チャンネルアップアイコン７４、キー番号順チャンネルダウンアイコン７５が常時表示されるとともに、後述する端末画面報知制御部６０によって、報知メッセージ７９が表示される。また、各アイコン７１〜７５および報知メッセージ７９を包含する各領域に対して、それぞれタッチエリア７１ｔ〜７５ｔ，７９ｔが設定されている。
【０１４９】
端末画面報知制御部６０は、表示情報取得部５３によって取得された表示情報に基づいて、ＴＶ受像機３において現在表示されているテレビ番組の番組名を取得すると、コンテンツリスト４２を参照し、現在表示されているテレビ番組に付与されている順位よりも上の順位が付与されているテレビ番組の有無を判断する。
【０１５０】
そして、上位のテレビ番組が有ると判断した場合には、端末画面報知制御部６０は、上位のテレビ番組を示す文字情報を、表示部１１に表示させ、上位のテレビ番組が無いと判断した場合には、何もせずに待機する。なお、この文字情報が、前記の報知メッセージ７９に相当する。
【０１５１】
ここで、上位のテレビ番組を示す文字情報とは、具体的には、図１４に示すように、どの放送チャンネルで放送されているテレビ番組が盛り上がっているのかを示すメッセージであり、本実施形態では、現在表示されているテレビ番組よりも上位のテレビ番組が複数有る場合には、最上位のテレビ番組を放送している放送チャンネルについてのみメッセージが表示される。なお、他の実施形態では、現在表示されているテレビ番組よりも上位のテレビ番組が複数有る場合に、上位のテレビ番組を放送している全ての放送チャンネルについてメッセージを表示してもよい。また、本実施形態では、文字情報を表示部１１に表示させるように構成されているが、これに限らず、画像情報または映像情報を表示部１１に表示させるように構成されてもよい。
【０１５２】
第３動作制御部６１は、最上位のテレビ番組を放送している放送チャンネルを報知する報知メッセージ７９を包含するタッチエリア７９ｔに対してタッチ入力されると、コンテンツリスト４２を参照して、最上位のテレビ番組を特定し、特定されたテレビ番組をＴＶ受像機３に表示させるためのコマンドデータを生成して、第１無線通信部１５に対し、チャンネル選局信号を生成させて出力させる。
【０１５３】
ＴＶ受像機３では、第１無線通信部３１がチャンネル選局信号を受信すると、制御部３４は、そのチャンネル選局信号に基づいて、第２動作制御部５７によって特定された最上位のテレビ番組を表示部３３に表示させる。
【０１５４】
音報知制御部６２は、端末画面報知制御部６０によって上位のテレビ番組が有ると判断されると、音声出力制御部１３ｂに対し、予め定める報知音を、予め設定された時間だけスピーカ１３ａを介して出力させる。なお、スピーカ１３ａから報知音を出力させるか否かは、ユーザによって適宜設定可能であり、報知音を出力するように設定されている場合にのみ、音報知制御部６２は、前記のように動作する。
【０１５５】
振動報知制御部６３は、端末画面報知制御部６０によって上位のテレビ番組が有ると判断されると、予め定める振動パターンの振動制御信号を振動部１４へ出力し、振動部１４をその振動パターンで予め設定された時間だけ振動させる。なお、振動部１４を振動させるか否かは、ユーザによって適宜設定可能であり、振動部１４を振動させるように設定されている場合にのみ、振動報知制御部６３は、前記のように動作する。
【０１５６】
図１５は、本発明の第３の実施形態に係る携帯端末装置１０を用いたチャンネル選局方法の動作手順を示すフローチャートである。チャンネル選局方法は、制御部１７が、記憶部１８に記憶されるアプリケーション６を実行することによって処理が開始し、ステップｓ２１に進む。なお、ＴＶ受像機３には、電源が投入されているものとする。また、以下では、スピーカ１３ａから報知音を出力させるとともに、振動部１４を振動させるように予め設定されているものとする。
【０１５７】
ステップｓ２１で、コンテンツリスト生成部５１は、予め設定された地域において選局可能な各放送チャンネルに関する番組表データ４０をサーバ装置２０から取得し、コンテンツリスト４２を生成して、ステップｓ２２に進む。
【０１５８】
ステップｓ２２で、操作画面生成部５５は、第３リモコン画面Ｄ３の画像データを生成し、第３リモコン画面Ｄ３を表示部１１に表示させて、ステップｓ２３に進む。
【０１５９】
ステップｓ２３で、指標情報取得部５２は、選局可能な各放送チャンネルにおいて現在放送中の各テレビ番組に対するミニブログの投稿数データを、サーバ装置２０から取得し、取得した各放送チャンネルの投稿数データを、放送局名データ４２ｂに関連付けてコンテンツリスト４２に格納して、ステップｓ２４に進む。
【０１６０】
ステップｓ２４で、表示情報取得部５３は、ＴＶ受像機３において現在表示されているテレビ番組を特定するための表示情報を、ＴＶ受像機３から取得して、ステップｓ２５に進む。
【０１６１】
ステップｓ２５で、順位付与部５４は、コンテンツリスト４２に格納された投稿数データ４２ｄに基づいて、各放送チャンネルで放送中のテレビ番組を、ミニブログの投稿数の多い順に順位付けし、その順位を示す順位データ４２ｅをコンテンツリスト４２に格納して、ステップｓ２６に進む。
【０１６２】
ステップｓ２６で、端末画面報知制御部６０は、コンテンツリスト４２を参照して、ＴＶ受像機３に現在表示されているテレビ番組に付与されている順位よりも上の順位が付与されているテレビ番組の有無を判断する。上位のテレビ番組が有ると判断した場合には、ステップｓ２７に進み、上位のテレビ番組が無いと判断した場合には、ステップｓ３２に進む。
【０１６３】
ステップｓ２７で、端末画面報知制御部６０は、最上位のテレビ番組を放送している放送チャンネルを報知するための報知メッセージ７９を表示部１１に表示させて、ステップｓ２８に進む。
【０１６４】
ステップｓ２８で、音報知制御部６２は、音声出力制御部１３ｂに対し、予め定める報知音をスピーカ１３ａを介して出力させ、ステップｓ２９に進む。ステップｓ２９で、振動報知制御部６３は、予め定める振動パターンの振動制御信号を振動部１４へ出力して、ステップｓ３０に進む。
【０１６５】
ステップｓ３０で、第３動作制御部６１は、タッチエリア７９ｔに対してタッチ入力されたか否かを判断する。タッチ入力されたと判断した場合には、ステップｓ３１に進み、タッチ入力されていないと判断した場合には、ステップｓ３２に進む。
【０１６６】
ステップｓ３１で、第３動作制御部６１は、コンテンツリスト４２を参照して、最上位のテレビ番組を特定し、特定されたテレビ番組をＴＶ受像機３に表示させるためのコマンドデータを生成して、第１無線通信部１５に対し、チャンネル選局信号を生成させて出力させて、ステップｓ３２に進む。
【０１６７】
ステップｓ３２で、第１動作制御部５６は、タッチエリア７１ｔ〜７５ｔのいずれかに対してタッチ入力されたか否かを判断する。タッチ入力されたと判断した場合には、ステップｓ３３に進み、タッチ入力されていないと判断した場合には、ステップｓ３４に進む。
【０１６８】
ステップｓ３３で、第１動作制御部５６は、タッチ入力されたタッチエリア７１ｔ〜７５ｔに応じた処理を実行して、ステップｓ３４に進む。
【０１６９】
ステップｓ３４で、指標情報取得部５２は、前回の投稿数データ要求信号を送信した時刻から予め設定された時間である１分が経過したか否かを判定し、経過した場合には、ステップｓ３５に進み、経過していない場合には、ステップｓ３２に戻る。
【０１７０】
ステップｓ３５で、端末画面報知制御部６０は、表示部１１に報知メッセージ７９が表示されていれば、その報知メッセージ７９の表示を消去し、ステップｓ２３に戻る。このような動作手順が、アプリケーション６が終了されるまで継続して実行される。
【０１７１】
以上のように、本実施形態によれば、ユーザは、携帯端末装置１０の表示部１１に表示される報知メッセージ７９を視認することによって、ＴＶ受像機３に現在表示されているテレビ番組よりも面白いテレビ番組・盛り上がっているテレビ番組が有ることを認識することができる。したがって、ユーザは、盛り上がっているテレビ番組に切り替えることによって、盛り上がっているシーンを視聴することができる。
【０１７２】
また、本実施形態によれば、スピーカ１３ａから出力される報知音および／または振動部１４の振動によって、より面白いテレビ番組・盛り上がっているテレビ番組が有ることが報知されるので、ユーザは、携帯端末装置１０の表示部１１を常に監視しておく必要が無く、テレビ番組の視聴に集中することができる。
【０１７３】
また、本実施形態によれば、第３リモコン画面Ｄ３におけるタッチエリア７９ｔに対してタッチ入力することによって、ミニブログの投稿数に基づく盛上りの順における最上位のテレビ番組を、ＴＶ受像機３の表示部３３に表示させることができる。したがって、盛り上がっているテレビ番組を、より早くＴＶ受像機３に表示させることができ、ユーザは、盛り上がっているシーンを見逃さずに視聴することができる。
【０１７４】
図１６は、本発明の第４の実施形態に係る携帯端末装置１０によって実現される各機能を示す機能ブロック図である。本実施形態に係る携帯端末装置１０によって実現される各機能は、第３の実施形態に係る携帯端末装置１０によって実現される各機能と一部重複するため、同一の構成については同一の参照符を付して、重複する説明を省略する場合がある。
【０１７５】
本実施形態に係る携帯端末装置１０では、制御部１７が、記憶部１８に記憶されるアプリケーション６を実行することによって、コンテンツリスト生成部５１と、指標情報取得部５２と、表示情報取得部５３と、順位付与部５４と、操作画面生成部５５と、第１動作制御部５６と、端末画面報知制御部６０と、第３動作制御部６１と、ＴＶ画面報知制御部６４とが実現される。
【０１７６】
ＴＶ画面報知制御部６４は、端末画面報知制御部６０によって上位のテレビ番組が有ると判断されると、上位のテレビ番組を示す文字情報をＴＶ受像機３に表示させるためのコマンドデータを生成し、第１無線通信部１５に対し、該コマンドデータを含むコマンド信号（以下、「報知メッセージ表示信号」と称する）を生成させて出力させる。
【０１７７】
ＴＶ受像機３では、第１無線通信部３１が報知メッセージ表示信号を受信すると、制御部３４は、報知メッセージ表示信号に含まれるコマンドデータに基づいて、表示部１１に表示されている報知メッセージ７９と同一の内容を、表示部３３にＯＳＤ表示させる。
【０１７８】
以上のように、本実施形態によれば、ＴＶ受像機３の表示部３３へのＯＳＤ表示によって、より面白いテレビ番組・盛り上がっているテレビ番組が有ることが報知されるので、ユーザは、携帯端末装置１０の表示部１１を常に監視しておく必要が無く、テレビ番組の視聴に集中することができる。また、ユーザは、盛上りの順における最上位のテレビ番組に切り替えたい場合には、第３の実施形態と同様に、タッチエリア７９ｔに対してタッチ入力することによって、最上位のテレビ番組を、ＴＶ受像機３の表示部３３に表示させることができる。なお、本実施形態では、文字情報をＴＶ受像機３の表示部３３へ表示させるように構成されているが、これに限らず、画像情報または映像情報をＴＶ受像機３の表示部３３へ表示させるように構成されてもよい。
【０１７９】
なお、本実施形態では、ＴＶ画面報知制御部６４は、報知メッセージ７９と同一の内容をＴＶ受像機３に表示させるように構成されているが、他の実施形態では、報知メッセージ７９を表示させる代わりに、現在表示されているテレビ番組よりも上位のテレビ番組のうちの最上位のテレビ番組を、ＰｉｎＰ（Picture In Picture）またはＰｂｙＰ（
Picture By Picture）の形式で、現在表示されているテレビ番組とともに表示させてもよい。
【０１８０】
この場合、ＴＶ画面報知制御部６４は、コンテンツリスト４２を参照して、最上位のテレビ番組を特定し、特定されたテレビ番組をＰｉｎＰまたはＰｂｙＰの形式でＴＶ受像機３に予め設定された時間だけ表示させるためのコマンドデータを生成して、第１無線通信部１５に対し、該コマンドデータを含むコマンド信号（以下、「割込み表示信号」と称する）を生成させて出力させる。
【０１８１】
ＴＶ受像機３では、第１無線通信部３１がＰｉｎＰの形式で表示させる割込み表示信号を受信すると、制御部３４は、割込み表示信号に含まれるコマンドデータに基づいて、ＴＶ画面報知制御部６４によって特定された最上位のテレビ番組を、現在表示されているテレビ番組に重ねて、所定のサブ画面領域に前記予め設定された時間だけ表示させる。図１７は、最上位のテレビ番組ＱをＰｉｎＰの形式でＴＶ受像機３に表示させた状態を示す図である。
【０１８２】
同様に、第１無線通信部３１がＰｂｙＰの形式で表示させる割込み表示信号を受信すると、制御部３４は、割込み表示信号に含まれるコマンドデータに基づいて、ＴＶ画面報知制御部６４によって特定された最上位のテレビ番組を、現在表示されているテレビ番組に並べて前記予め設定された時間だけ表示させる。図１８は、最上位のテレビ番組Ｑ１をＰｂｙＰの形式でＴＶ受像機３に表示させた状態を示す図である。
【０１８３】
そして、ユーザは、現在表示されているテレビ番組Ｑ０を、ＰｉｎＰまたはＰｂｙＰの形式で表示された最上位のテレビ番組Ｑ１に切り替えたい場合には、前記と同様に、タッチエリア７９ｔに対してタッチ入力することによって、最上位のテレビ番組Ｑ１を、ＴＶ受像機３の表示部３３の全面に表示させることができる。
【０１８４】
このように、より面白いテレビ番組・盛り上がっているテレビ番組がＰｉｎＰまたはＰｂｙＰの形式でＴＶ受像機３に予め設定された時間だけ表示されるので、ユーザは、携帯端末装置１０の表示部１１を常に監視しておく必要が無く、テレビ番組の視聴に集中することができる。
【０１８５】
なお、上記の第１〜第４の実施形態は、組合せに支障がなければ組み合わせて実施してもよい。上記の第１〜第４の実施形態では、コンテンツ表示装置として、各放送チャンネルにおいて現在放送中のテレビ番組を表示可能なＴＶ受像機３を、携帯端末装置１０による遠隔操作の対象としているが、これに限らず、他の装置をコンテンツ表示装置としてもよい。
【０１８６】
以下、本発明の第５の実施形態として、コンテンツ表示装置が、複数の放送チャンネルで同じ時間帯に放送されている各テレビ番組を同時に録画可能であって、同時に録画された複数のテレビ番組の中から選択された一のテレビ番組を表示可能な装置である場合について説明する。
【０１８７】
なお、このようなコンテンツ表示装置は、たとえばテレビ番組を表示可能なＴＶ受像機３と、テレビ番組を録画して蓄積する録画装置とによって実現される。この場合、録画装置は、ＴＶ受像機３に有線または無線で接続されるレコーダ装置によって実現されてもよく、ＴＶ受像機３に内蔵されてもよい。
【０１８８】
本実施形態では、録画装置は、選局可能な各放送チャンネルにおいて現在放送中の各テレビ番組の中からユーザによって選択された１つのテレビ番組を録画する通常の録画機能のほか、選局可能な各放送チャンネルにおいて同じ時間帯に放送されている各テレビ番組の中からユーザによって選択された複数あるいは全てのテレビ番組を同時に録画する機能を有している。
【０１８９】
なお、このようなコンテンツ表示装置を利用して、録画装置によって同時に録画された複数あるいは全てのテレビ番組の中から選択された一のテレビ番組をＴＶ受像機３に再生表示させる場合、選択された一のテレビ番組が放送されていた過去のその時点と同じように、該一のテレビ番組から同時に録画された他のテレビ番組に表示を切り替えることができるものとする。具体例をあげて説明すると、２０：００〜２１：００に放送された２つのテレビ番組が録画装置によって同時に録画されている場合において、一方のテレビ番組をＴＶ受像機３に再生表示させているときに、他方のテレビ番組に表示を切り替えると、切換え直前のシーンの放送時刻が２０：３５であれば、２０：３５に放送されたシーンから他方のテレビ番組が再生表示される。このように、同時に録画された複数あるいは全てのテレビ番組の中から選択された一のテレビ番組をＴＶ受像機３に再生表示させる場合には、あたかもその時間帯にいるかのような状況が再現されるものとする。
【０１９０】
本実施形態に係る携帯端末装置１０では、制御部１７が、記憶部１８に記憶されるアプリケーション６を実行することによって、第１の実施形態に係る携帯端末装置１０と同様に、コンテンツリスト生成部５１と、指標情報取得部５２と、表示情報取得部５３と、順位付与部５４と、操作画面生成部５５と、第１動作制御部５６と、第２動作制御部５７と、盛上り率データ生成部５８と、指標関連情報表示制御部５９とが実現される。
【０１９１】
コンテンツリスト生成部５１は、同時に録画された複数のテレビ番組の中からユーザによって選択された一のテレビ番組が放送されていた日時に、選局可能な各放送チャンネルにおいて放送されていた各テレビ番組についての番組表データ４０をサーバ装置２０から取得して、図８に示すようなコンテンツリスト４２を生成する。
【０１９２】
指標情報取得部５２は、ユーザによって選択された一のテレビ番組が放送されていた日時に放送されていた各テレビ番組に対するミニブログの投稿数データを、サーバ装置２０から取得する。
【０１９３】
具体的には、指標情報取得部５２は、ＴＶ受像機３に再生表示されているシーンが実際に放送された時刻を含む１分間についての各放送チャンネルの投稿数データをサーバ装置２０に要求するための投稿数データ要求信号を生成し、第２無線通信部１６に、生成した投稿数データ要求信号を送信させる。
【０１９４】
サーバ装置２０では、通信部２１が投稿数データ要求信号を受信すると、制御部２３は、前記の時刻を含む１分間についての各放送チャンネルの投稿数データを、記憶部２４に記憶される指標情報テーブル３１から抽出する。そして、制御部２３は、抽出した投稿数データを通知するための投稿数データ通知信号を生成し、通信部２１に、投稿数データ要求信号を送信してきた携帯端末装置１０に対して、生成した投稿数データ通知信号を送信させる。
【０１９５】
これにより、第２無線通信部１６が投稿数データ通知信号を受信すると、指標情報取得部５２は、取得した各放送チャンネルの投稿数データを、放送局名データ４２ｂに関連付けてコンテンツリスト４２に格納する。
【０１９６】
なお、コンテンツ表示装置が、同じ時間帯に放送されている各テレビ番組の中からユーザによって選択された複数あるいは全てのテレビ番組を同時に録画する際に、インターネットを介してサーバ装置２０から番組指標データを取得し、録画した複数のコンテンツと合わせて、取得した各コンテンツの番組指標データ（投稿数データまたは仮想視聴率データ）を保持するように構成されている場合には、指標情報取得部５２は、サーバ装置２０からではなく、コンテンツ表示装置から番組指標データを取得してもよい。
【０１９７】
表示情報取得部５３は、ＴＶ受像機３において現在表示されているテレビ番組を特定するための表示情報を、ＴＶ受像機３から取得する。
【０１９８】
順位付与部５４は、指標情報取得部５２によって投稿数データ４２ｄがコンテンツリスト４２に格納されると、格納された投稿数データ４２ｄに基づいて、録画装置によって同時に録画された複数のテレビ番組を、ミニブログの投稿数の多い順に順位付けし、その順位を示す順位データをコンテンツリスト４２に格納する。
【０１９９】
操作画面生成部５５は、図９に示すような第１リモコン画面Ｄ１の画像データを生成し、第１リモコン画面Ｄ１を表示部１１に表示させる。
【０２００】
第１動作制御部５６は、キー番号順チャンネルアップアイコン７４を包含するタッチエリア７４ｔに対してタッチ入力されると、ＴＶ受像機３に再生表示されているテレビ番組を、そのテレビ番組に対応するリモコンキーＩＤよりも１大きなリモコンキーＩＤに対応するテレビ番組に切り替えるためのコマンドデータを生成する。そして、第１無線通信部１５に対し、チャンネルアップ信号を生成させて出力させる。
【０２０１】
同様に、第１動作制御部５６は、キー番号順チャンネルダウンアイコン７５を包含するタッチエリア７５ｔに対してタッチ入力されると、ＴＶ受像機３に再生表示されているテレビ番組を、そのテレビ番組に対応するリモコンキーＩＤよりも１小さなリモコンキーＩＤに対応するテレビ番組に切り替えるためのコマンドデータを生成する。そして、第１無線通信部１５に対し、チャンネルダウン信号を生成させて出力させる。
【０２０２】
第２動作制御部５７は、指標順チャンネルアップアイコン７６を包含するタッチエリア７６ｔに対してタッチ入力されると、先ず、表示情報取得部５３に表示情報を取得させる。
【０２０３】
そして、第２動作制御部５７は、表示情報取得部５３によって取得された表示情報に基づいて、ＴＶ受像機３において再生表示されているテレビ番組の番組名を取得すると、コンテンツリスト４２を参照し、ＴＶ受像機３において再生表示されているシーンが実際に放送されていた時刻において、再生表示されているテレビ番組に付与されている順位よりも１つ上の順位が付与されているテレビ番組を特定する。
【０２０４】
そして、第２動作制御部５７は、特定されたテレビ番組をＴＶ受像機３に表示させるためのコマンドデータを生成し、第１無線通信部１５に対し、チャンネル選局信号を生成させて出力させる。なお、第２動作制御部５７は、指標順チャンネルダウンアイコン７７を包含するタッチエリア７７ｔに対してタッチ入力された場合にも同様に動作する。
【０２０５】
盛上り率データ生成部５８は、指標情報取得部５２によって投稿数データ４２ｄがコンテンツリスト４２に格納されると、格納された投稿数データ４２ｄに基づいて、同時に録画された各テレビ番組の盛上り率を算出し、算出した盛上り率をコンテンツリスト４２に格納する。
【０２０６】
指標関連情報表示制御部５９は、第２動作制御部５７によって特定されたテレビ番組の指標関連情報をＴＶ受像機３に表示させるためのコマンドデータを生成し、第１無線通信部１５に対し、指標関連情報表示信号を生成させて出力させる。
【０２０７】
以上のように、本実施形態によれば、同時に録画された複数のテレビ番組の中から一のテレビ番組をコンテンツ表示装置で再生表示する場合においても、携帯端末装置１０の表示部１１に表示される第１リモコン画面Ｄ１におけるタッチエリア７６ｔ，７７ｔに対してタッチ入力することにより、ミニブログの投稿数に基づく盛上りの順にしたがって、ＴＶ受像機３の表示部３３に再生表示させることができる。したがって、ユーザは、同時に録画された複数のテレビ番組の中から、より面白いテレビ番組・より盛り上がっているテレビ番組を、容易に選択することができる。
【０２０８】
他の実施形態では、上記の第３および第４の実施形態と同じように、このようなコンテンツ表示装置を利用する場合においても、携帯端末装置１０の表示部１１に報知メッセージ７９を表示させることによって、またはＴＶ受像機３に報知メッセージ７９を表示させることによって、またはＴＶ受像機３に最上位のテレビ番組Ｑ１をＰｉｎＰまたはＰｂｙＰの形式で表示させることによって、ＴＶ受像機３に再生表示されているテレビ番組よりも面白いテレビ番組・盛り上がっているテレビ番組が有ることをユーザに認識させる構成としてもよい。
【符号の説明】
【０２０９】
１  情報通信システム
２  通信ネットワーク
３  ＴＶ受像機
６  アプリケーション
１０  携帯端末装置
１１  表示部
１２ａ  タッチパネル
１５  第１無線通信部
１６  第２無線通信部
１７  制御部
１８  記憶部
２０  サーバ装置
２１  通信部
２３  制御部
２４  記憶部
【図１】
0005636390.tif 000002
【図２】
0005636390.tif 000003
【図３】
0005636390.tif 000004
【図４】
0005636390.tif 000005
【図５】
0005636390.tif 000006
【図６】
0005636390.tif 000007
【図７】
0005636390.tif 000008
【図８】
0005636390.tif 000009
【図９】
0005636390.tif 000010
【図１０】
0005636390.tif 000011
【図１１】
0005636390.tif 000012
【図１２】
0005636390.tif 000013
【図１３】
0005636390.tif 000014
【図１４】
0005636390.tif 000015
【図１５】
0005636390.tif 000016
【図１６】
0005636390.tif 000017
【図１７】
0005636390.tif 000018
【図１８】
0005636390.tif 000019